(57)【要約】【課題】本発明は、大型化を抑えつつ第１の被収容物と第１の被収容物よりも長い第２の被収容物とを収容可能な収容部を備えるコンソールボックスを提供する。【解決手段】フロアコンソールボックス１０は、缶６０とＣＤケース６１とを内側に収容する第５の収容部２０を備える。第５の収容部２０は、底壁部２３と底壁部２３の周囲から立ち上がる縦壁部２４とを備えてＣＤケース６１を収容する一方向に長い収容凹部２１と、仕切部２２とを備える。仕切部２２は、収容凹部２１内を長手方向に対し横切る方向に仕切るとともに縦壁部２４の内面２４ａのうち向かい合う部位との間に規定される間隔が缶６０が略嵌る大きさを有する第１の位置Ｐ１と、収容凹部２１内を長手方向に仕切るとともに内面２４ａのうち向かい合う部位との間に規定される間隔がＣＤケース６１が略嵌る大きさを有する第２の位置Ｐ２との間で回転自在に底壁部２３に設けられる。【選択図】      図１
2007269228.tif 000002
【特許請求の範囲】
【請求項１】
第１の被収容物と前記第１の被収容物よりも長い第２の被収容物とを内側に収容する収容部を備えるコンソールボックスであって、
前記収容部は、
底壁部と該底壁部の周囲から立ち上がる縦壁部とを備えて前記第２の被収容物を収容する一方向に長い収容凹部と、
前記収容凹部内を長手方向に対し横切る方向に仕切るとともに前記縦壁部の内面のうち向かい合う部位との間に規定される間隔が前記第１の被収容物が略嵌る大きさを有する第１の位置と、前記長手方向に前記収容凹部内を仕切るとともに前記縦壁部の内面のうち向かい合う部位との間に規定される間隔が前記第２の被収容物が略嵌る大きさを有する第２の位置との間で回転自在に前記底壁部に設けられる仕切部と
を備えることを特徴とするコンソールボックス。
【請求項２】
前記仕切部には、第３の被収容物を収容する溝が形成されていることを特徴とする請求項１に記載のコンソールボックス。
【請求項３】
請求項１に記載のコンソールボックスにおいて、
前記仕切部を前記第１の位置と前記第２の位置とに位置決めする位置決め機構を備えることを特徴とするコンソールボックス。
【請求項４】
前記位置決め機構は、
前記底壁部に形成されて前記仕切部に向かって突出する突部と、
前記仕切部に形成されて前記仕切部が前記第１，２の姿勢にあるときに前記突部が嵌る凹部と
を備えることを特徴とする請求項３に記載のコンソールボックス。
【発明の詳細な説明】
【技術分野】
【０００１】
本発明は、例えば自動車に設けられるコンソールボックスに関する。
【背景技術】
【０００２】
自動車のフロアにおいて運転席と助手席との間に設けられるフロアコンソールボックスには、パーキングブレーキのブレーキレバーの一部が収容されるとともに、缶、ＣＤ（compact disk）ケース、小物などを収容する収容部が設けられている。
【０００３】
しかしながら、缶の形状とＣＤケースの形状とは、互いに異なる。ＣＤケースは、缶よりも長い。それゆえ、缶とＣＤケースとを収容する収容部の形状には、各々を収容できる形状が求められる。
【０００４】
例えば缶を収容する収容部には、缶が倒れることがないように缶の周囲を支持することが求められる。また、ＣＤケースの形状は、一般に扁平な箱型である。それゆえ、例えばＣＤケースのように比較的長いものを収容する収容部は、該長さを収容できるだけの大きさを有することが求められる。
【０００５】
このように、ＣＤケースのように比較的長いものを収容する収容部と缶を収容する収容部とには、それぞれ異なる形状を有することが求められる。缶とＣＤケースとをそれぞれ収容する収容部をコンソールボックスに別々に形成すると、コンソールボックスが大きくなってしまう。つまり、車室内におけるコンソールボックスの占める大きさが大きくなる。
【０００６】
一方、自動車の車内空間を広くすることが望まれている。それゆえ、コンソールボックスが大きくなることは、好ましくない。このため、ＣＤケースのように比較的長いものと缶とを両方収容できる収容部が提案されている。
【０００７】
この種の収容部の一例としては、収容部の内側空間を仕切る着脱可能な仕切部材を備えている。例えばＣＤケースのように比較的長いものを収容する際には、仕切部材を取る。このことよって、収容部にＣＤケースのような比較的長いものを収容できるようになる。また、缶を収容する際には、収容部内を仕切部材によって区切る。缶の周囲は、収容部の底壁部の周囲から立ち上がる縦壁部と仕切部材とによって安定して支持される。このことによって、収容部は、ＣＤケースのような比較的長いものと缶とを収容できるようになる。
【０００８】
しかしながら、着脱可能な仕切部材を備える構造であると、例えばＣＤケースのような比較的長いものを収容する際には、取り外された仕切部材を収容する場所が必要になる。さらに、自動車の走行中の振動などによって、仕切部材が外れてしまうことが考えられる。乗員の意図によらずに仕切部材が外れてしまうことは、好ましくない。
【０００９】
これに対し、収容部の縦壁部のうち長手方向に沿う部位に、該部位内に収容可能な仕切部を備える収容部が提案されている。この構造の収容部では、例えばＣＤケースのように比較的長いものを収容する際には、仕切部を縦壁部内に収容する。仕切部を縦壁部内に収容することによって、収容部内の空間にＣＤケースのような比較的長いものを収容できるようになる。
【００１０】
また、例えば缶を収容する際には、仕切部を縦壁部から出して、仕切部によって収容部内の空間を区切る。これによって、缶は、仕切部と収容部の縦壁部とによって安定して支持される。
【００１１】
または、収容部の低壁部に長手方向に沿って移動可能な仕切部が設けられる収容部が提案されている。この構造の収容部では、例えば缶を収容する際には、仕切部が収容部の長手方向の略中央に移動される。このことによって、缶は収容部の縦壁部と仕切部とによって安定して保持される。また、ＣＤケースのように比較的長いものを収容する際には、仕切部を長手方向に沿う一端まで移動する。このことによって、収容部内には、ＣＤケースのような比較的長いものを収容できる空間が確保される。
【００１２】
しかしながら、収容部の縦壁部内に収容可能な仕切部を備える構造であると、縦壁部において仕切部を収容する部位は、仕切部を収容可能な厚みを有する必要がある。それゆえ、収容部が大きくなってしまうので好ましくない。
【００１３】
また、収容部の低壁部に移動可能な仕切部を設ける構造であると、収容部は、該仕切部が一端部まで移動した状態で内側にＣＤケースのような比較的長いものを収容できる大きさを有する必要がある。つまり、収容部内空間は、収容すべきものの長さに仕切部厚みを加えた長さを有する必要がある。それゆえ、収容部が大きくなってしまうので、好ましくない。
【００１４】
これに対し、収容部の上部開口に該開口部の長手方向に移動可能なスライド部材を設け、このスライド部材に回転可能な仕切部が設けられる収容部が提案されている。例えば収容部内に缶を収容する際には、スライド部材を長手方向略中央に移動する。そして、仕切部が缶の側面に接するまで仕切部を回転させる。これによって、缶の周面は、収容部の縦壁部と仕切部とによって安定して保持される（例えば、特許文献１参照）。
【特許文献１】特開２００１−３０１５１３号公報
【発明の開示】
【発明が解決しようとする課題】
【００１５】
しかしながら、特許文献１に開示されているコンソールボックスの開口部の一部はスライド部材によって覆われているので、収容部内にＣＤケースのように比較的長いものを収容することは難しくなることが考えられる。
【００１６】
したがって、本発明の目的は、大型化を抑えつつ第１の被収容物と第１の被収容物よりも長い第２の被収容物とを収容可能な収容部を備えるコンソールボックスを提供することでる。
【課題を解決するための手段】
【００１７】
本発明のコンソールボックスは、第１の被収容物と前記第１の被収容物よりも長い第２の被収容物とを内側に収容する収容部を備える。前記収容部は、底壁部と該底壁部の周囲から立ち上がる縦壁部とを備えて前記第２の被収容物を収容する一方向に長い収容凹部と、前記収容凹部内を長手方向に対し横切る方向に仕切るとともに前記縦壁部の内面のうち向かい合う部位との間に規定される間隔が前記第１の被収容物が略嵌る大きさを有する第１の位置と、前記長手方向に前記収容凹部内を仕切るるとともに前記縦壁部の内面のうち向かい合う部位との間に規定される間隔が前記第２の被収容物が略嵌る大きさを有する第２の位置との間で回転自在に前記底壁部に設けられる仕切部とを備える。
【００１８】
本発明の好ましい形態では、前記仕切部に、第３の被収容物を収容する溝を形成する。
【００１９】
本発明の好ましい形態では、コンソールボックスは、位置決め機構を備える。前記位置決め機構は、前記仕切部を前記第１の位置と前記第２の位置とに位置決める。
【００２０】
上記形態のさらに好ましい形態では、前記位置決め機構は、前記底壁部に形成されて前記仕切部に向かって突出する突部と、前記仕切部に形成されて前記仕切部が前記第１，２の姿勢にあるときに前記突部が嵌る凹部とを備える。
【発明の効果】
【００２１】
本発明によれば、コンソールボックスは、大型化を抑えつつ第１の被収容物と第１の被収容物よりも長い第２の被収容物とを収容できる。
【発明を実施するための最良の形態】
【００２２】
本発明の一実施形態に係るコンソールボックスを、図１〜８を用いて説明する。本実施形態では、自動車の運手席と助手席との間に設けられるフロアコンソールボックスを一例に説明する。
【００２３】
図１は、フロアコンソールボックス１０を示している。図１に示すように、フロアコンソールボックス１０は、運転席５と助手席６との間に配置されている。フロアコンソールボックス１０は、本体１１と、本体１１に形成される第１〜５の収容部１２，１３，１４，１５，２０とを備える。本体１１は、車体前後方向Ａに沿って長い。なお、運転席５と助手席６とは、２点鎖線で示されている。
【００２４】
第１の収容部１２は、本体１１の前部において運転席５の近傍に形成されている。第１の収容部１２は、上下方向に本体１１を貫通しており、パーキングブレーキレバー７の一部を収容している。第２，３の収容部１３，１４は、本体１１の前部において第１の収容部１２と助手席６との間に形成されている。第２，３の収容部１３，１４は、本体１１の上面から下方に向かって凹状に形成されており、例えば飲料水の缶が略嵌る大きさを有している。第４の収容部１５は、第１の収容部１２の後方に形成されている。第４の収容部１５は、本体１１の上面から下方に向かって凹状に形成されており、例えば前後方向に長い。
【００２５】
第５の収容部２０は、第３の収容部１４の後方に形成されている。第５の収容部２０は、収容凹部２１と、仕切部２２とを備えている。収容凹部２１は、車体前後方向Ａに沿って長い形状であって本体１１の上面から下方に向かって凹状に形成されており、底壁部２３と底壁部２３の周縁から立ち上がる縦壁部２４とを有している。底壁部２３の表面２３ａは、略平面である。
【００２６】
仕切部２２は、仕切部材３０が底壁部２３に支持軸４０によって回転自在に支持されることによって構成される。図２は、第５の収容部２０の分解斜視図である。図２に示すように、仕切部材３０は、基部材３１と本体部材３２とを備えている。
【００２７】
図３は、図１中に示されるＦ３―Ｆ３線に沿う断面図である。図３は、第５の収容部２０の車幅方向に沿う断面図である。図２，３に示すように、基部材３１は、一方方向に長い板状であって、後述される支持軸４０によって底壁部２３に回転自在に支持される。基部材３１の長手方向の長さは、収容凹部２１の長手方向を横切る方向（車幅方向）に沿う長さと略同じである。
【００２８】
基部材３１は、第１の部分３３と第２の部分３４とを有している。第１の部分３３は、基部材３１の回転軸（支持軸４０）の周囲の部分である。第１の部分３３の下面３３ａは、平面である。第２の部分３４は、第１の部分３３よりも外側の部分である。第２の部分３４は、第１の部分３３よりも一段持ち上がっている。第２の部分３４の下面３４ａは、第１の部分３３の下面３３ａと略平行に延びている。基部材３１は、第１の部分３３の略中心を境に長手方向に略対称な形状である。
【００２９】
本体部材３２は、基部材３１に組み付けられる。本体部材３２は、所定の高さを有しており、一方向に長い形状である。本体部材３２の長手方向の長さは、収容凹部２１の長手方向を横切る方向（車幅方向Ｂ）に沿う長さと略同じである。図３に示すように、本体部材３２は、中空であって下方に開口する。本体部材３２の下端開口部３５には、基部材３１が略嵌合する。本体部材３２は、その中心を境に長手方向に略対称な形状である。
【００３０】
図２に示すように、基部材３１の長手方向に沿う両端部３６にはそれぞれ係合突部３７が一対形成されている。係合突部３７は、基部材３１の長手方向に略沿って外側に突出している。本体部材３２の長手方向に沿う両端部３８の下端には、係合突部３７が係合する係合孔３９が形成されている。
【００３１】
係合突部３７は、例えば上方に向かうにつれて基部材３１の内側に向かって傾斜する形状である。それゆえ、下端開口部３５に基部材３１を下方から上方に向かって押し込むと、係合突部３７は、自然に係合孔３９に係合する。係合突部３７が係合孔３９に係合すると、係合突部３７の下端が係合孔３９の縁に引っかかる。
【００３２】
係合孔３９の位置は、基部材３１が本体部材３２に組みついた状態（係合突部３７が係合孔３８に係合した状態）において基部材３１の第１の部分３３と本体部材３２の下端縁３２ａが収容凹部２１の底壁部２３の表面２３ａに略接するように設定されている。
【００３３】
本体部材３２には、一対の第１の溝３２ｂが形成されている。第１の溝３２ｂは、本体部材３２の長手方向に互いに離間して配置されている。各第１の溝３２ｂは、本体部材３２の上方から下方に向かう凹状であって本体部材３２の長手方向を横切る方向に延びている。各第１の溝３２ｂは、本体部材３２の長手方向を横切る方向に沿って本体部材３２を貫通している。
【００３４】
支持軸４０は、基部４１と軸部４２と引っかかり部４３とを有している。軸部４２は、収容凹部２１の底壁部２３に形成された第１の貫通孔４４と基部材３１に形成された第２の貫通孔４５とを通る。第１の貫通孔４４は、収容凹部２１の底壁部２３の略中心に配置されている。第２の貫通孔４５は、基部材３１の第１の部分３３の略中心に配置されている。それゆえ、仕切部材３０の回転軸は、底壁部２３の略中心に位置する。基部４１は、軸部４２の下端に設けられており、軸部４２が第１，２の貫通孔４４，４５を下方から上方に向かって通ると底壁部２３に引っかかるようになっている。
【００３５】
また、軸部４２の内部には、長手方向に沿って延びる隙間４６が形成されている。隙間４６は、基部４１の反対端まで延びている。それゆえ、軸部４２は、内側に向かってたわむことができる。引っかかり部４３は、軸部４２の他端４２ａ（基部４１の反対側）から周方向外側に突出している。引っかかり部４３の縁面４３ａは、他端に向かうにつれて軸部４２の内側に向かって傾斜している。
【００３６】
上記の構造によって、支持軸４０を収容凹部２１の底壁部２３の第１の貫通孔４４と基部材３１の第２の貫通孔４５とに引っかかり部４３側から挿入すると、軸部４２が内側に撓むことによって引っかかり部４３が第１，２の貫通孔４４，４５を通過する。そして、図３に示すように、引っかかり部４３が第２の貫通孔４５を通過すると、軸部４２の撓みが解除されるとともに引っかかり部４３が第２の貫通孔４５の縁に引っかかる。それゆえ、仕切部材３０が底壁部２３に回転自在に支持される。引っかかり部４３の形状は、自動車の振動などによって第２の貫通孔４５の縁との係合が解除されないように決定される。
【００３７】
基部材３１と底壁部２３との間には、位置決め機構５０が設けられている。位置決め機構５０は、仕切部材３０を後述される第１の位置Ｐ１と後述される第２の位置Ｐ２とに位置決めする。位置決め機構５０は、底壁部２３に形成された位置決め用突部５１と、基部材３１に形成されて位置決め用突部５１が係合する位置決め用凹部５２とを備えている。
【００３８】
図２に示すように、位置決め用突部５１は、例えば４つ形成されており、各々底壁部２３の表面２３ａから上方に向かって突出している。各位置決め用突部５１のうち一対の位置決め用突部５１は、第１の貫通孔４４を中心とする第１の仮想円Ｃ１上において収容凹部２１の長手方向に沿って互いに最も離れる位置に配置されている。残りの一対の位置決め用突部５１は、第１の仮想円Ｃ１上において収容凹部２１の長手方向を横切る方向に沿って互いに最も離れる位置に配置されている。第１の仮想円Ｃ１は、底壁部２３において基部材３１の第１の部分３３と対向する範囲内に収まる大きさである。
【００３９】
図４は、基部材３１の下面を下方から見た図である。図４に示すように、位置決め用凹部５２は、例えば４つ形成されており、各々第１の部分３３の下面３３ａから上方に向かう凹状である。各位置決め用凹部５２のうち一対の位置決め用凹部５２は、第２の貫通孔４５を中心とする第２の仮想円Ｃ２上において基部材３１の長手方向に沿って互いに最も離れる位置に配置されている。残りの一対の位置決め用凹部５２は、第２の仮想円Ｃ２上において基部材３１の長手方向を横切る方向に沿って互いに最も離れる位置に配置されている。
【００４０】
各位置決め用凹部５２は、第２の仮想円Ｃ２に沿って形成される第２の溝５３によって互いにつながっている。第２の溝５３の幅は、各位置決め用凹部５２の幅よりも小さい。第２の仮想円Ｃ２は、第１の仮想円Ｃ１と同じ径である。
【００４１】
図５は、仕切部材３０が第１の位置Ｐ１にある状態の第５の収容部２０を示す平面図である。図５に示すように、第１の位置Ｐ１は、仕切部材３０の長手方向（基部材３１と本体部材３２の長手方向）が収容凹部２１の長手方向を横切る方向に沿う位置である。図３は、仕切部材３０が第１の位置Ｐ１にある状態における断面図である。図３に示すように、仕切部材３０が第１の位置Ｐ１にある状態では、各位置決め用突部５１は、各位置決め用凹部５２に嵌合する。したがって、仕切部材３０は、第１の位置Ｐ１に位置決められる。
【００４２】
図６は、仕切部材３０が第２の位置Ｐ２にある状態の第５の収容部２０を示す平面図である。図６に示すように、第２の位置Ｐ２は、仕切部材３０の長手方向が収容凹部２１の長手方向に沿う位置である。仕切部材３０が第２の位置Ｐ２にある状態であっても、位置決め用突部５１は、位置決め用凹部５２に嵌合する。したがって、仕切部材３０は、第２の位置Ｐ２に位置決められる。
【００４３】
仕切部材３０が第１，２の位置Ｐ１，Ｐ２の間で回転する際には、図４に示すように、位置決め用突部５１は、第２の溝５３を通って位置決め用凹部５２間を移動する。それゆえ、第１，２の位置Ｐ１，Ｐ２間の移動は、比較的容易になされる。図６中２点鎖線で示される位置決め用突部５１は、第１，２の位置Ｐ１，Ｐ２間を移動している最中を示している。
【００４４】
ここで、収容凹部２１の内部空間の幅Ｌ１（長手方向を横切る方向の大きさ）と、収容凹部２１の内部空間の長手方向に沿う長さＬ２と、各第１の溝３２ｂの幅Ｌ４とについて具体的に説明する。
【００４５】
図５に示すように、収容凹部２１の幅Ｌ１は、縦壁部２４において幅方向に互いに対向する内面２４ａの下端が例えば飲料水を収容する容器の一例である缶６０に略接するように設定される。なお、図３に示されるように、縦壁部２４の内面２４ａは、上方に向かうにつれて次第に開くように傾斜しているが、この傾斜は、缶６０が倒れることがない程度である。さらに、仕切部材３０の長手方向に沿う側面３０ａは、缶６０の形状に合わせて、曲面になっている。したがって、缶６０は、安定して保持される。
【００４６】
収容凹部２１の長さＬ２は、例えば缶６０を２つと仕切部材３０の幅Ｌとを収容できる長さを有している。
【００４７】
図５に示すように、仕切部材３０の幅は、仕切部材３０が第１の位置Ｐ１にあるときに縦壁部２４の内面２４ａにおいて仕切部材３０の長手方向に沿う側面３０ａと向かい合う部位２４ｂと仕切部材３０とが缶６０と略接するように設定されている。さらに、図６に示すように、仕切部材３０の幅は、仕切部材３０が第２の位置Ｐ２にあるときに縦壁部２４の内面２４ａにおいて仕切部材３０の長手方向に沿う側面３０ａと向かい合う部位２４ｃとの間にＣＤケース６１を収容できる間隔が規定されるように設定されている。なお、本実施形態では、第２の位置Ｐ２にある仕切部材３０と縦壁部２４との間には、それぞれ例えばＣＤケース６１（ＣＤを一枚収容するケース）を２個収容できる。缶６０は、本発明で言う第１の被収容物の一例である。ＣＤケース６１は、本発明で言う第２の被収容物の一例である。
【００４８】
図７は、第１の溝３２ｂに例えばＭＤ（mini disk）ケース６２が収容されている状態を示す平面図である。第１の溝３２ｂの幅Ｌ４は、ＭＤケース６２を収容可能に設定されている。ＭＤケース６２は、本発明で言う第３の被収容物の一例である。
【００４９】
このように形成されるフロアコンソールボックス１０では、仕切部材３０を第１の位置Ｐ１にすることによって、第５の収容部２０は、缶６０を安定して保持できる。さらに、仕切部材３０を第２の位置Ｐ２にすることによって、第５の収容部２０は、ＣＤケース６１を収容できる。つまり、缶６０とＣＤケース６１とを収容する収容部を別々に形成することなく一つにまとめることができる。
【００５０】
さらに、仕切部材３０は、長手方向を収容凹部２１の長手方向に沿わせることによって第２の位置Ｐ２に変位する。そして、ＣＤケース６１のように比較的長いものは、第２の位置Ｐ２にある仕切部材３０と縦壁部２４との間に規定される隙間に収容される。つまり、仕切部材３０は、ＣＤケース６１のように比較的長いものが収容される際に、収容凹部２１の長手方向に沿ってＣＤケース６１と並ばない。それゆえ、収容凹部２１の長手方向の長さＬ２を小さく抑えることができる。
【００５１】
つまり、第５の収容部２０は、缶６０とＣＤケース６１とを収容可能であるとともに、その大きさを小さく抑えることができる。したがって、第５の収容部２０を備えるフロアコンソールボックス１０が大型化することを抑えることができる。
【００５２】
また、仕切部材３０の本体部材３２には、第１の溝３２ｂが２本形成されており、例えばＭＤケース６２を収容できる。これによって、第５の収容部２０は、缶６０とＣＤケース６１とＭＤケース６２といった３種類の被収容物を安定して保持できるようになる。
【００５３】
また、基部材３１と底壁部２３との間に位置決め機構５０が設けられるので、仕切部材３０が第１，２の位置Ｐ１，Ｐ２に位置決められる。それゆえ、第５の収容部２０は、缶６０、ＣＤケース６１、ＭＤケース６２を安定して保持できる。
【００５４】
また、位置決め機構５０は、底壁部２３に形成された位置決め用突部５１と、基部材３１に形成された位置決め用凹部５２とによって構成される簡単な構造である。それゆえ、フロアコンソールボックス１０のコストの高騰を抑えることができる。
【００５５】
つぎに、本発明の第２の実施形態に係るフロアコンソールボックスを、図８を用いて説明する。なお、第１の実施形態と同様な機能を有する構成は、同一の符号を付して説明を省略する。本実施形態は、仕切部材３０の回転軸の位置が第１の実施形態と異なる。他の構造は第１の実施形態と同様であってよい。上記異なる点について具体的に説明する。
【００５６】
図８は、本実施形態の第５の収容部２０の平面図である。図８に示すように、本実施形態では、仕切部材３０は、収容凹部２１の底壁部２３の略中心ではなく、基部材３１の長手方向の一端よりに配置されている。これに伴い、第１，２の貫通孔４４，４５と位置決め機構５０の位置は、変更されている。
【００５７】
図８中２点鎖線は、第２の位置Ｐ２にある仕切部材３０を示している。支持軸４０の位置変更に伴って、第２の位置Ｐ２にある仕切部材３０は、縦壁部２４に略沿う。また、第２の位置Ｐ２にある仕切部材３０が縦壁部２４に略沿うことによって、仕切部材３０が第２の位置Ｐ２にある状態では、仕切部材３０と縦壁部２４との間に規定される隙間Ｓが２つではなく１つとなり、それに伴いこの隙間Ｓの幅が大きくなる。それゆえ、第１の実施形態の効果に加えて、２枚組みＣＤケースのように厚みが厚いものであっても隙間Ｓに収容できるようになる。
【図面の簡単な説明】
【００５８】
【図１】本発明の第１の実施形態に係るコンソールボックスを示す斜視図。
【図２】図１に示された仕切部を分解して示す斜視図。
【図３】図１中に示されたＦ３―Ｆ３線に沿って示すコンソールボックスの断面図。
【図４】図２に示された基部材の下面を下方から見た状態を示す平面図。
【図５】図１に示された仕切部材が第１の位置にある状態の第５の収容部を示す平面図。
【図６】図１に示された仕切部材が第２の位置にある状態の第５の収容部を示す平面図。
【図７】図１に示された仕切部材の第１の溝にＭＤケースが収容されている状態の第５の収容部を示す平面図。
【図８】本発明の第２の実施形態に係るコンソールボックスの第５の収容部を示す平面図。
【符号の説明】
【００５９】
１０…フロアコンソールボックス（コンソールボックス）、２０…第５の収容部（収容部）、２１…収容凹部、２２仕切部、２３…底壁部、２４…縦壁部、３２ｂ…第１の溝（溝）、４０…支持軸（回転軸）、５０…位置決め機構、５１…位置決め用突部（突部）、５２…位置決め用凹部（凹部）、６０…缶（第１の被収容物）、６１…ＣＤケース（第２の被収容物）、６２…ＭＤケース（第３の被収容物）、Ｐ１…第１の位置、Ｐ２…第２の位置。
【図１】
2007269228.tif 000003
【図２】
2007269228.tif 000004
【図３】
2007269228.tif 000005
【図４】
2007269228.tif 000006
【図５】
2007269228.tif 000007
【図６】
2007269228.tif 000008
【図７】
2007269228.tif 000009
【図８】
2007269228.tif 000010